(57)【要約】【課題】  本体ケースとパネルとを具備する消火システム制御盤において、消火システムの機能を維持しつつ、消火システム制御盤の形状を小さくすることができ、また、製造コストが高くならない消火システム制御盤を提供することを目的とするものである。【解決手段】  電源制御部とバックアップ電源部と電池とを具備する本体ケースと、主制御部と表示制御部と液晶表示部とを具備するパネルとを有する消火システム制御盤であり、主制御部をパネルに設けた消火システム制御盤である。【選択図】  図１
2006280644.tif 000002
【特許請求の範囲】
【請求項１】
電源制御部と、バックアップ電源部と、電池とを具備する本体ケースと；
主制御部と、表示制御部と、液晶表示部とを具備するパネルと；
を有することを特徴とする消火システム制御盤。
【請求項２】
請求項１において、
上記主制御部と上記表示制御部とが1枚の基板に含まれていることを特徴とする消火システム制御盤。
【請求項３】
電源制御部とバックアップ電源部と電池とを本体ケースに設け、主制御部と表示制御部とをパネルに設けたことを特徴とする消火システム制御盤。
【発明の詳細な説明】
【技術分野】
【０００１】
本発明は、消火システム制御盤に関する。
【背景技術】
【０００２】
図２は、従来の消火システム制御盤ＳＣ２を示すブロック図である。
【０００３】
従来の消火システム制御盤ＳＣ２は、本体ケースＣ２と、パネルＰ２とを有する。
【０００４】
本体ケースＣ２には、主制御部１０と、電源制御部５０と、バックアップ電源部６０と、端末接続部７０と、電源部８０と、電池ＢＴと、入出力基板Ｂ１、Ｂ２、……、Ｂｎとが設けられている。
【０００５】
本体ケースＣ２において、主制御部１０と電源制御部５０と端末接続部７０とが、１枚の基板に設けられている。
【０００６】
パネルＰ２には、表示制御部２０と、液晶表示部３０と、スイッチ操作部４０と、バックアップ電源操作部６１と、プリンタＰＲと、ブザーＢＺとが設けられている。本体ケースＣ２の主制御部１０と、パネルＰ２の表示制御部２０とは、各々ＣＰＵを持ち、通信を行っている。
【０００７】
従来技術のたとえば、特許文献１の図７のＮＳ監視盤には、「制御回路」と「表示制御回路」とがそれぞれ設けられ、ＩＦ２１を介して通信を行っている。
【特許文献１】特開平７−０５９８７６号公報
【発明の開示】
【発明が解決しようとする課題】
【０００８】
上記従来例において、本体ケースＣ２に設けられている主制御部１０、電源制御部５０、端末接続部７０を有する基板のスペースが大きいので、それらを収容する本体ケースＣ２の形状が大きいという問題がある。また、本体ケースＣ２の形状が大きいことに起因して、消火システム制御盤の製造コストが高いという問題がある。
【０００９】
本発明は、消火システムの機能を維持しつつ、消火システム制御盤の形状を小さくすることができ、また、製造コストが高くならない消火システム制御盤を提供することを目的とするものである。
【課題を解決するための手段】
【００１０】
本発明は、電源制御部とバックアップ電源部と電池とを具備する本体ケースと、主制御部と表示制御部と液晶表示部とを具備するパネルとを有する消火システム制御盤であり、主制御部をパネルに設けた消火システム制御盤である。
【発明の効果】
【００１１】
本発明によれば、電源制御部とバックアップ電源部と電池とを本体ケースが具備し、主制御部と表示制御部と液晶表示部とをパネルが具備し、本体ケースから主制御部を削除したので、消火システムの機能を維持しつつ、本体ケースを小さくすることができ、消火システム制御盤の形状を小さくすることができ、また、製造コストが高くならないという効果を奏する。
【発明を実施するための最良の形態】
【００１２】
発明を実施するための最良の形態は、以下の実施例である。
【実施例１】
【００１３】
図１は、本発明の実施例１である消火システム制御盤ＳＣ１を示すブロック図である。
【００１４】
消火システム制御盤ＳＣ１は、本体ケースＣ１とパネルＰ１とを有する。
【００１５】
本体ケースＣ１は、電源制御部５０と、バックアップ電源部６０と、端末接続部７０と、電源部８０と、電池ＢＴと、入出力基板Ｂ１、Ｂ２、……、Ｂｎとを有する。
【００１６】
パネルＰ１は、主制御部１０と、表示制御部２０と、液晶表示・操作部３０と、スイッチ操作部４０と、プリンタＰＲと、スピーカＳＰとを有する。
【００１７】
主制御部１０は、図示しない火災受信機からの火災信号や、消火システムのスプリンクラバルブの２次圧低下信号等を受信し、スプリンクラ等の被制御機器を含む端末機器を制御するものである。表示制御部２０は、液晶表示部３０における表示を制御するものである。
【００１８】
なお、開口部ＯＰは、パネルＰ１に形成されている開口部であって、外部からの配線引き込み用の開口であり、入出力基板Ｂ１、Ｂ２、……、Ｂｎは、原則として、開口部ＯＰの側方に一列に配置されている。
【００１９】
実施例１である消火システム制御盤ＳＣ１は、従来の消火システム制御盤ＳＣ２と比較すると、主制御部１０が、パネルＰ１に設けられている点に特徴がある。
【００２０】
主制御部１０を、本体ケースからパネルＰ１に移動させることによって、本体ケースＣ１の設置スペースを狭くすることができ、したがって、消火システム制御盤ＳＣ１の全体が、従来よりも小さくなる。よって、消火システム制御盤ＳＣ１の製造コストを低くすることができる。
【００２１】
なお、パネルＰ１に、新たに主制御部１０が設けられているが、従来のパネルＰ２には、主制御部１０を収容できるスペースがあるので、パネルＰ１に主制御部１０を設けても、パネルＰ１の形状を大きくする必要がない。さらに、従来のパネルＰ２にバックアップ電源操作部６１が設けられているが、実施例１におけるパネルＰ１では、この電源操作部６１をスイッチ操作部４０に含ませているので、パネルＰ１の設置スペースをさらに小さくすることができる。
【００２２】
また、実施例１において、主制御部１０をパネルＰ１に設け、主制御部１０と表示制御部２０とを１枚の基板で構成することによって、従来は２個必要であったＣＰＵを１個とすることができ、通信が不要である。これによって、従来例と比較すると、本体ケースＣ１とパネルＰ１とを接続する配線の数が減少する。
【００２３】
たとえば従来例では、本体ケースＣ１とパネルＰ１とを接続する配線の数が３本であり、つまり、バックアップ電源部６０とバックアップ電源操作部６１とを接続する配線と、主制御部１０と表示制御部２０とを接続する配線と、主制御部１０とプリンタＰＲとを接続する配線との３本の配線を、本体ケースＣ２とパネルＰ２との間に接続する必要がある。
【００２４】
一方、実施例１では、主制御部１０と電源制御部５０とを接続する配線のみが、本体ケースＣ１とパネルＰ１との間に設けられている。
【００２５】
上記のように、実施例１では、本体ケースＣ１とパネルＰ１との間に接続される配線数が少ないので、配線が簡素であり、また、消火システム制御盤ＳＣ１の製造コストを低くすることができる。
【図面の簡単な説明】
【００２６】
【図１】本発明の実施例１である消火システム制御盤ＳＣ１を示すブロック図である。
【図２】従来の消火システム制御盤ＳＣ２を示すブロック図である。
【符号の説明】
【００２７】
ＳＣ１…消火システム制御盤、
Ｐ１…パネル、
１０…主制御部、
２０…表示部、
３０…液晶表示・操作部、
４０…スイッチ操作部、
Ｃ１…本体ケース、
５０…電源制御部、
６０…バックアップ電源部、
７０…端末接続部、
８０…電源部、
ＢＴ…電池。
【図１】
2006280644.tif 000003
【図２】
2006280644.tif 000004